(57)【要約】      （修正有）【課題】空気がより広い範囲に吹き出され、室内空気がより効率的に流動及び循環され、室内環境の快適性が改善されるシーリングファンライトを提供する。【解決手段】シーリングファンライトは、上端に吸込口が設けられ、下端に吹出口が設けられ、内部には、上方から下方に向かって漸次大きくなる閉鎖された環状風路１３が設けられる筐体３と、筐体３内に設けられる扇風機１１と、筐体３の吹出口に設けられるグリッド８とを含み、空気が吸込口から筐体３に吸い込まれると、環状風路１３によって増圧後に広がり、グリッド８から排出される、風路を備える。風路を備えるシーリングファンライトでは、筐体３内には上方から下方に向かって漸次大きくなる環状風路１３が設けられ、扇風機１１が筐体内３に回転して負圧を形成させ、空気が吸込口から筐体３内に吸引され、環状風路１３によって集まり増圧された後、徐々に減圧され、グリッド８から排出され、増圧後に空気（気流）は風速が高められより排出されやすくなる。【選択図】図１
0003231173.tif 000002
【実用新案登録請求の範囲】
【請求項１】
上端に吸込口が設けられ、下端に吹出口が設けられ、内部には、上方から下方に向かって漸次大きくなる閉鎖された環状風路が設けられる筐体と、
前記筐体内に設けられる扇風機と、
前記筐体の吹出口に設けられるグリッドとを含み、
空気が前記吸込口から前記筐体に吸い込まれると、前記環状風路によって増圧後に広がり、前記グリッドから排出されることを特徴とする風路を備えるシーリングファンライト。
【請求項２】
前記環状風路は回転体構造であり、前記回転体の母線は曲線であることを特徴とする請求項１に記載の風路を備えるシーリングファンライト。
【請求項３】
前記筐体の上端には前記筐体内に延伸する気流取込筒が設けられ、前記筐体の下端には前記筐体外に延伸する気流排出筒が設けられ、前記扇風機は前記気流取込筒内に位置し、前記環状風路の上端は前記気流取込筒に接続され、前記環状風路の下端は前記気流排出筒に接続されることを特徴とする請求項１に記載の風路を備えるシーリングファンライト。
【請求項４】
前記気流取込筒及び前記気流排出筒はいずれも円柱体であり、且つ前記気流取込筒の内径は前記気流排出筒の内径より小さいことを特徴とする請求項３に記載の風路を備えるシーリングファンライト。
【請求項５】
前記扇風機の下方に位置し、前記グリッドの回転を駆動するための第１モーターと、
前記第１モーターを支持するためのサポートフレームと、
前記筐体の下端に接続され、前記サポートフレーム及び前記第１モーターを支持するためのストップリングとをさらに含み、
前記グリッドは前記サポートフレームの下方に位置し、前記グリッドの外周面は前記ストップリングの内輪に滑りばめで係合されることを特徴とする請求項３又は４に記載の風路を備えるシーリングファンライト。
【請求項６】
前記ストップリングの内輪に受止部が設けられ、前記サポートフレームには前記受止部にオーバーラップする支持部が設けられ、前記受止部には前記サポートフレームの回転を防ぐための制限部が設けられることを特徴とする請求項５に記載の風路を備えるシーリングファンライト。
【請求項７】
前記ストップリングの上端に封止リングが設けられ、前記封止リングは前記筐体内まで延伸し、前記ストップリングは前記封止リングの第１ねじを通って前記筐体に接続されることを特徴とする請求項５に記載の風路を備えるシーリングファンライト。
【請求項８】
前記気流排出筒の外壁に巻き付けられるライトストリップをさらに含むことを特徴とする請求項５に記載の風路を備えるシーリングファンライト。
【請求項９】
前記ストップリングと前記筐体との間に構成された環状溝に取り付けられ、且つ、前記ライトストリップの下方に位置する導光板をさらに含むことを特徴とする請求項８に記載の風路を備えるシーリングファンライト。
【請求項１０】
前記導光板は第２ねじによって前記ストップリングの上端面に接続されることを特徴とする請求項９に記載の風路を備えるシーリングファンライト。
【考案の詳細な説明】
【技術分野】
【０００１】
本考案は、照明器具の技術分野に関し、より詳しく言えば、風路を備えるシーリングファンライトに関する。
【背景技術】
【０００２】
扇風機と照明具が室内で一般的に用いられる２種の家電機器であり、室内では扇風機と照明具が別々に取り付けられるのが一般的であり、大量の空間を使うだけでなく、室内の清潔感と美観性が損なわれる。
【０００３】
ファンライトはシーリングライトと扇風機を組み合わせたもので、照明具と扇風機の機能を兼ね備えるだけでなく、室内を装飾する効果がある。シーリングにシーリングライトと扇風機の両方を取り付ける必要があるため、空間が足りないという問題は避けられる。
【０００４】
しかし、従来のファンライトでは扇風機の風量が不均一であり、顧客体験が優れず、室内空気の循環と流動も悪いため、快適な室内環境は得られない。
【考案の概要】
【考案が解決しようとする課題】
【０００５】
本考案は、従来のファンライトでは風量が不均一であり、室内空気の循環と流動が悪いという問題を解決するために、風路を備えるシーリングファンライトを提供することを目的とする。
【課題を解決するための手段】
【０００６】
上記の目的を達成するための本考案の技術的解決手段は次のとおりである。
上端に吸込口が設けられ、下端に吹出口が設けられ、内部には、上方から下方に向かって漸次大きくなる閉鎖された環状風路が設けられる筐体と、前記筐体内に設けられる扇風機と、前記筐体の吹出口に設けられるグリッドとを含み、空気が前記吸込口から前記筐体に吸い込まれると、前記環状風路によって増圧後に広がり、前記グリッドから排出される、風路を備えるシーリングファンライトを提供する。
【０００７】
本願の一実施例では、前記環状風路は回転体構造であり、前記回転体の母線は曲線である。
【０００８】
本願の一実施例では、前記筐体の上端には前記筐体内に延伸する気流取込筒が設けられ、前記筐体の下端には前記筐体外に延伸する気流排出筒が設けられ、前記扇風機は前記気流取込筒内に位置し、前記環状風路の上端は前記気流取込筒に接続され、前記環状風路の下端は前記気流排出筒に接続される。
【０００９】
本願の一実施例では、前記気流取込筒及び前記気流排出筒はいずれも円柱体であり、且つ前記気流取込筒の内径は前記気流排出筒の内径より小さい。
【００１０】
本願の一実施例では、前記シーリングファンライトは、前記扇風機の下方に位置し、前記グリッドの回転を駆動するための第１モーターと、前記第１モーターを支持するためのサポートフレームと、前記筐体の下端に接続され、前記サポートフレーム及び前記第１モーターを支持するためのストップリングとをさらに含み、前記グリッドは前記サポートフレームの下方に位置し、前記グリッドの外周面は前記ストップリングの内輪に滑りばめで係合される。
【００１１】
本願の一実施例では、前記ストップリングの内輪に受止部が設けられ、前記サポートフレームには前記受止部にオーバーラップする支持部が設けられ、前記受止部には前記サポートフレームの回転を防ぐための制限部が設けられる。
【００１２】
本願の一実施例では、前記ストップリングの上端に封止リングが設けられ、前記封止リングは前記筐体内まで延伸し、前記ストップリングは前記封止リングの第１ねじを通って前記筐体に接続される。
【００１３】
本願の一実施例では、前記シーリングファンライトは、前記気流排出筒の外壁に巻き付けられるライトストリップをさらに含む。
【００１４】
本願の一実施例では、前記シーリングファンライトは、前記ストップリングと前記筐体との間に構成された環状溝に取り付けられ、且つ、前記ライトストリップの下方に位置する導光板をさらに含む。
【００１５】
本願の一実施例では、前記導光板は第２ねじによって前記ストップリングの上端面に接続される。
【考案の効果】
【００１６】
本考案の風路を備えるシーリングファンライトの有益な効果は次のとおりである。
従来技術と比べて、本考案の風路を備えるシーリングファンライトは、筐体内には上方から下方に向かって漸次大きくなる環状風路が設けられ、扇風機が筐体内に回転して負圧を形成させ、空気が吸込口から筐体内に吸引され、環状風路によって集まり増圧された後、徐々に減圧され、グリッドから排出され、増圧後に空気（気流）は風速が高められより排出されやすくなり、グリッドによって均一に広がった後、より広い範囲に吹き出され、室内空気がより効率的に流動及び循環されることになり、室内環境の快適性が改善される。
【図面の簡単な説明】
【００１７】
次に、本考案の実施例に係る技術的解決手段を一層明瞭に説明するために、従来技術又は実施例の説明に用いる図面を簡単に説明する。なお、次の説明に係る図面は本考案のいくつかの実施例を示すものに過ぎず、当業者が新規性のある作業をすることなく、これらの図面から他の図面を得ることができる。
【図１】図１は本考案の実施例に係る風路を備えるシーリングファンライトの分解構造模式図その１である。
【図２】図２は本考案の実施例に係る風路を備えるシーリングファンライトの分解構造模式図その２である。
【図３】図３は本考案の実施例に係る風路を備えるシーリングファンライトの立体構造模式図その１である。
【図４】図４は本考案の実施例に係る風路を備えるシーリングファンライトの立体構造模式図その２である。
【図５】図５は本考案の実施例に係る風路を備えるシーリングファンライトのグリッド及び導光板を除いた立体構造模式図である。
【図６】図６は本考案の実施例に係る風路を備えるシーリングファンライトの上面図である。
【図７】図７は図６のＡ−Ａ線における断面構造図である。
【図８】図８は図６のＢ−Ｂ線における断面構造図である。
【図９】図９は本考案の実施例に係る風路を備えるシーリングファンライトの筐体の立体構造模式図である。
【図１０】図１０は本考案の実施例に係る風路を備えるシーリングファンライトの筐体の上面図である。
【図１１】図１１は図１０のＣ−Ｃ線における断面構造図である。
【図１２】図１２は図１０のＤ−Ｄ線における断面構造図である。
【図１３】図１３は本考案の実施例に係る風路を備えるシーリングファンライトのストップリングの立体構造模式図である。
【図１４】図１４は本考案の実施例に係る風路を備えるシーリングファンライトの筐体を除いた立体構造模式図である。
【考案を実施するための形態】
【００１８】
次に、本考案が解決しようとする課題、技術的解決手段及び有益な効果が一層明瞭になるよう、実施例及び図面を参照して、本考案の一層詳細な説明を行う。なお、ここで説明するいくつかの実施例は本考案の限定にならず、その説明のためのものに過ぎない。
【００１９】
図１、図２、図６から図１２を参照して、本考案の風路を備えるシーリングファンライトを説明する。前記風路を備えるシーリングファンライトは、上端に吸込口が設けられ、下端に吹出口が設けられ、内部には、上方から下方に向かって漸次大きくなる閉鎖された環状風路１３が設けられる筐体３と、前記筐体３内に設けられる扇風機１１と、前記筐体３の吹出口に設けられるグリッド８とを含み、空気が前記吸込口から前記筐体３に吸い込まれると、前記環状風路１３によって増圧後に広がり、前記グリッド８から排出される。
【００２０】
従来技術と比べて、本考案の風路を備えるシーリングファンライトは、筐体３内には上方から下方に向かって漸次大きくなる環状風路１３が設けられ、扇風機１１が筐体３内に回転して負圧を形成させ、空気が吸込口から筐体３内に吸引され、環状風路１３に沿って循環し、環状風路１３によって集まり増圧された後、徐々に減圧され、グリッド８から排出され、増圧後に空気（気流）は風速が高められより排出されやすくなり、グリッド８によって均一に広がった後、より広い範囲に吹き出され、室内空気がより効率的に流動及び循環されることになり、室内環境の快適性が改善される。
【００２１】
本考案の風路を備えるシーリングファンライトの一実施形態では、図６から図１２が参照されるとおり、前記環状風路１３は回転体構造であり、前記回転体の母線は曲線である。本実施例では、環状風路１３の形状はラッパ状であってもよく、環状風路１３の加速効果は下方に近づければつくほど強くなる。このようにして、環状風路１３に入ったばかりの空気が急速に増圧され、環状風路１３の出口に徐々に減圧されることで、風量の排出に対してある程度緩衝の効果がある。このように、気流の排出量が増加するだけでなく、排出時に風速が非常に大きくなるため不快感があることは避けられる。
【００２２】
具体的には、前記曲線は外側からみると、下向きに湾曲する弧線であり、本実施例では筐体３も回転体であり、筐体３の母線は外側に突出する弧線である。このようにして、環状風路１３と筐体３との間に環状のチャンバーが形成され、環状風路１３に大きな圧力がかかる時には緩衝をかけることで、環状風路１３を保護する効果がある。
【００２３】
本実施例では、環状風路１３は円錐台で、母線は直線であってもよい。
【００２４】
本実施例では、図１及び図２が参照されるとおり、扇風機の回転を駆動するための第２モーター１２と、第２モーター１２を取り付けるための取付けキャップ１とをさらに含み、ただし、筐体３は接続フレーム２によって取付けキャップ１に接続される。
【００２５】
本実施例では、図１及び図２が参照されるとおり、接続フレーム２は受止フレーム２１と、前記受止フレーム２１の外側に設けられる固定フレーム２２とを含み、受止フレーム２１の一端は筐体３に接続され、取付けキャップ１は受止フレーム２１の他端に支持され、固定フレーム２２の一端は筐体３に接続され、固定フレーム２２の他端は取付けキャップ１の外側に密着され、且つねじによって取付けキャップ１に接続される。
【００２６】
本考案の実施例の一実施形態では、図１１及び図１２が参照されるとおり、前記筐体３の上端には、前記筐体３内に延伸する気流取込筒３１が設けられ、前記筐体３の下端には前記筐体３外に延伸する気流排出筒３２が設けられ、前記扇風機１１は前記気流取込筒３１内に位置し、前記環状風路１３の上端は前記気流取込筒３１に接続され、前記環状風路１３の下端は前記気流排出筒３２に接続される。本実施例では、気流取込筒３１及び気流排出筒３２を設けることで、入ったばかりの空気も排出されようとする空気も、短い間ながら緩衝されることになり、気流がより効率的に利用される。
【００２７】
本考案の実施例の一実施形態では、図１１及び図１２が参照されるとおり、前記気流取込筒３１及び前記気流排出筒３２はいずれも円柱体であり、且つ前記気流取込筒３１の内径は前記気流排出筒３２の内径より小さい。本実施例では、空気が吸込口から吹出口に流れる間、その圧力は全体的にはまず増加した後、低減されることで、気流がより効率的に利用されるとともに、排出気流が適切に調整される。
【００２８】
本考案の実施例の一実施形態では、図１から図８が参照されるとおり、前記シーリングファンライトは、は前記扇風機１１の下方に位置し、前記グリッド８の回転を駆動するための第１モーター１０と、前記第１モーター１０を支持するためのサポートフレーム９と、前記筐体３の下端に接続され、前記サポートフレーム９及び前記第１モーター１０を支持するためのストップリング６とをさらに含み、前記グリッド８は前記サポートフレーム９の下方に位置し、前記グリッド８の外周面は前記ストップリング６の内輪に滑りばめで係合される。第１モーター１０がグリッド８を連れて回転させることで、圧縮された空気はより効率的に吹き出され、より広い範囲に吹き出され、効率的に循環されることで、気流がより効率的に利用され、室内空気がより効率的に流動及び循環されることになり、室内環境の快適性が改善される。
【００２９】
本考案の実施例の一実施形態では、図１、図２、図１３が参照されるとおり、前記ストップリング６の内輪に受止部６２が設けられ、前記サポートフレーム９には前記受止部６２にオーバーラップする支持部が設けられ、前記受止部６２には前記サポートフレーム９の回転を防ぐための制限部６３が設けられる。本実施例では、グリッド８は第１モーター１０によって支持され、第１モーター１０はサポートフレーム９によって支持され、ただし、サポートフレーム９は支持部によってストップリング６の受止部６２にオーバーラップするように設けられるため、取り付けや固定が不要であり、制限部６３によって第１モーター１０の回転を防ぐことで、第１モーター１０の確実な位置づけを実現でき、しかも構造がシンプルで、取り付けと取り外しが容易である。制限部６３は凸ブロックであってもよいし、受止部６２に設けられる凹溝であってもよく、凹溝が設けられる場合には、支持部には凹溝に挿入できる制限ブロックが設けられる。
【００３０】
本実施例では、図１及び図２が参照されるとおり、サポートフレーム９は放射状に設けられる複数の支持ロッドと、支持ロッドを接続する支持リングとを含む。
【００３１】
本考案の実施例の一実施形態では、図１、図２、図５及び図１３が参照されるとおり、前記ストップリング６の上端に封止リング６１が設けられ、前記封止リング６１は前記筐体３内まで延伸し、前記ストップリング６は前記封止リング６１の第１ねじ７を通って前記筐体３に接続される。封止リング６１と筐体３が係合することで、ストップリング６の位置決めを実現する。本実施例では、封止リング６１の外壁は気流排出筒３２の内壁に密着されてもよい。
【００３２】
本考案の実施例の一実施形態では、図１から図４が参照されるとおり、前記シーリングファンライトは、前記気流排出筒３２の外壁に巻き付けられるライトストリップ４をさらに含む。ライトストリップ４が気流排出筒３２の外壁に巻き付けられ、且つ扇風機１１より位置が低いため、扇風機１１の回転が光強を弱めることは効果的に避けられ、ライトストリップ４はグリッド８よりも側方に位置するため、その発光がグリッド８に影響されることはない。
【００３３】
本考案の実施例の一実施形態では、図１から図４が参照されるとおり、前記シーリングファンライトは、前記ストップリング６と前記筐体３との間に構成された環状溝に取り付けられ、且つ、前記ライトストリップ４の下方に位置する導光板５をさらに含む。導光板５によって、射出光は均一性が向上し、より効率的に利用される。本実施例では、導光板５が円環状の構造で、グリッド８の上方に位置するため、風量と風速に影響はない。逆に、導光板５が設けられるため、グリッド８から吹き出される気流がある程度集まる効果があり、つまり、気流が増圧後にすぐ吹き出されるとそのまま拡散されるが、導光板５が設けられると、導光板５に止められて斜め下向きに排出されることになり、気流の均一性と広がりに役立つ効果を得る。
【００３４】
本考案の実施例の一実施形態では、図１から図４、図７、図８が参照されるとおり、前記導光板５は第２ねじ１４によって前記ストップリング６の上端面に接続される。第２ねじ１４によって固定されると、導光板５が気流に当たって揺動することが避けられ、導光板５がより確実に接続される。
【００３５】
本実施例では、図１４が参照されるとおり、第１モーター１０を支持するサポートフレーム９から負イオン１５が生成され、照明と同時に発生した負イオンが、空気の浄化、除塵、抗菌に利用できる。負イオンが空気を浄化できるのは、負イオン自体が負の電荷を持ち、空気中の塵埃や細菌のほとんどが正の電荷を持つため、塵埃や細菌が負イオンと中和反応を行って付着され、地面に落ちる。また、負イオン１５がそれ自体の殺菌効果を発揮して、空気中の細菌を取り除くことで、空気の清潔性を保つ。負イオンは、自然療法で効果的な治療手段の１つとして、保健やケアの効果があり、高血圧、不眠、喘息、がんの治療やケアに明らかな効果がある。さらに、負イオンは亜健康の状態を改善でき、妊娠中の女性のめまいや不眠等症状の緩和や、小児の免疫力向上と脳の機能発達等に顕著な効果がある。発生した高濃度の負イオンは、健康の維持に役立ち、人体に害がある環境中の静電気を取り除くことで、健康に良く、省エネでグリーンな空間を生み出す。
【００３６】
上述した内容が本考案の限定にならず、その好ましい実施例に過ぎない。本考案の趣旨を超えることなくなされた変更や、同等な差し替え、改良等は、いずれも本考案の保護範囲に含まれる。
【符号の説明】
【００３７】
１...取付けキャップ、２...接続フレーム、２１...受止フレーム、２２...固定フレーム、３...筐体、３１...気流取込筒、３２...気流排出筒、４...ライトストリップ、５...導光板、６...ストップリング、６１...封止リング、６２...受止部、６３...制限部、７...第１ねじ、８...グリッド、９...サポートフレーム、１０...第１モーター、１１...扇風機、１２...第２モーター、１３...環状風路、１４...第２ねじ、１５...負イオン。
【図１】
0003231173.tif 000003
【図２】
0003231173.tif 000004
【図３】
0003231173.tif 000005
【図４】
0003231173.tif 000006
【図５】
0003231173.tif 000007
【図６】
0003231173.tif 000008
【図７】
0003231173.tif 000009
【図８】
0003231173.tif 000010
【図９】
0003231173.tif 000011
【図１０】
0003231173.tif 000012
【図１１】
0003231173.tif 000013
【図１２】
0003231173.tif 000014
【図１３】
0003231173.tif 000015
【図１４】
0003231173.tif 000016